(57)【要約】【課題】予め枠組みした保持枠に、アタッチメント付面材を容易に組む込むことができる建具を提供すること。【解決手段】建具である外障子３、内障子４は、上下および左右の框材を枠組みして構成される保持枠３１、４１と、保持枠３１、４１内に配置されるアタッチメント付面材５０、７０と、保持枠３１、４１に取り付けられる押縁６０、８０とを備える。各框材は、框本体３２１と、框本体３２１の見込面部３２１Ａから突出された突出片部３２２と、見込面部３２１Ａに形成された係合溝部３２３とを有する。アタッチメント付面材５０、７０は、アタッチメント５１、７１を枠組みして構成されたアタッチメント枠５０Ａ、７０Ａと、アタッチメント枠５０Ａ、７０Ａ内に組み込まれた面材５６とを有する。押縁６０、８０は、係合溝部３２３に着脱可能に取り付けられて、突出片部３２２との間にアタッチメント付面材５０、７０を挟持可能に構成されている。【選択図】図１
2020016118.tif 000002
【特許請求の範囲】
【請求項１】
上下および左右の框材を枠組みして構成される保持枠と、
前記保持枠内に配置されるアタッチメント付面材と、
前記保持枠に取り付けられる押縁とを備え、
前記各框材は、框本体と、前記框本体の見込面部から突出された突出片部と、前記見込面部に形成された係合溝部とを有し、
前記アタッチメント付面材は、アタッチメントを枠組みして構成されたアタッチメント枠と、前記アタッチメント枠内に組み込まれた面材とを有し、
前記押縁は、前記係合溝部に着脱可能に取り付けられて、前記突出片部との間に前記アタッチメント付面材を挟持可能に構成されている
ことを特徴とする建具。
【請求項２】
請求項１に記載の建具において、
前記框材、前記アタッチメント、前記押縁は、それぞれ樹脂製の押出形材で構成され、
前記面材は、２枚以上のガラスを備えて構成される
ことを特徴とする建具。
【請求項３】
請求項１または請求項２に記載の建具において、
前記アタッチメントは、本体部と、前記本体部から前記アタッチメントの見付方向内周側に突出された保持片部と、前記本体部から前記見付方向内周側に突設された突起部とを備え、前記保持片部の突出寸法は前記突起部の突出寸法よりも大きくされ、
前記面材は、前記保持片部および前記突起部間に保持され、
前記押縁は、前記係合溝部に取り付けられる係合片部と、前記係合片部から前記框材の見付方向内周側に延長されたカバー部とを備え、
前記保持片部の前記見付方向内周側の端縁の位置に対応して、前記カバー部の前記見付方向内周側の端縁の位置が設定されている
ことを特徴とする建具。
【請求項４】
請求項１または請求項２に記載の建具において、
前記各框材は、框本体と、前記框本体の見込面部の室内側端部から突出された突出片部と、前記框本体の見込面部の室外側端部に形成された係合溝部とを有し、
前記アタッチメントは、本体部と、前記本体部の室内側端部から突出された保持片部と、前記本体部の室外側端部から突設された突起部とを備え、
前記保持片部の室内面は、前記突出片部の室内面に沿って配置され、
前記面材は、前記保持片部および前記突起部間に保持され、
前記押縁は、前記係合溝部に取り付けられる係合片部と、前記係合片部から前記框材の見付方向内周側に延長されたカバー部とを備える
ことを特徴とする建具。
【請求項５】
請求項１または請求項２に記載の建具において、
前記各框材は、框本体と、前記框本体の見込面の室内側端部から突出された突出片部と、前記框本体の見込面部の室外側端部に形成された係合溝部とを有し、
前記アタッチメントは、本体部と、前記本体部の室内側端部から突出された保持片部と、前記本体部の室外側端部から突設された突起部とを備え、
前記面材は、前記保持片部および前記突起部間に保持され、
前記押縁は、前記係合溝部に取り付けられる係合片部と、前記係合片部から前記框材の見付方向内周側に延長されたカバー部とを備え、前記カバー部の室外面は、前記框材の室外面に沿って配置されている
ことを特徴とする建具。
【請求項６】
請求項１から請求項５のいずれか一項に記載の建具において、
前記アタッチメントの室内側端部には、前記框材との隙間を塞ぐ軟質ヒレが設けられている
ことを特徴とする建具。
【発明の詳細な説明】
【技術分野】
【０００１】
本発明は、アタッチメント付面材を組み込んだ建具に関する。
【背景技術】
【０００２】
単板用のサッシに複層ガラスを取り付けるため、サッシの単板ガラス取付け用の溝部に差し込まれる差込部と、差込部に比べて見込寸法が大きくされて複層ガラスを保持可能な保持部とを備えるアタッチメントを用いた複層ガラス窓が知られている（特許文献１参照）。
【先行技術文献】
【特許文献】
【０００３】
【特許文献１】実開平４−５５９８５号公報
【発明の概要】
【発明が解決しようとする課題】
【０００４】
特許文献１のアタッチメントは、サッシの溝部に差込部を差し込む必要があるため、障子の框を組む前に、アタッチメントと框とを組み合わせる必要がある。このため、樹脂製の框材を溶着などで枠組みした場合、後からアタッチメントを用いて面材を組む込むことができない。
また、使用中のサッシをリフォームするために、使用中のサッシからガラスを取り外し、アタッチメント付複層ガラスを取り付ける場合も、障子を解体しないとアタッチメント付複層ガラスを組み込むことができない。
このため、複層ガラスやトリプルガラス等にアタッチメントを取り付けたアタッチメント付面材を、予め枠組みした保持枠に、容易に組み込むことが求められている。
【０００５】
本発明の目的は、予め枠組みした保持枠に、アタッチメント付面材を容易に組む込むことができる建具を提供することにある。
【課題を解決するための手段】
【０００６】
本発明の建具は、上下および左右の框材を枠組みして構成される保持枠と、前記保持枠内に配置されるアタッチメント付面材と、前記保持枠に取り付けられる押縁とを備え、前記各框材は、框本体と、前記框本体の見込面部から突出された突出片部と、前記見込面部に形成された係合溝部とを有し、前記アタッチメント付面材は、アタッチメントを枠組みして構成されたアタッチメント枠と、前記アタッチメント枠内に組み込まれた面材とを有し、前記押縁は、前記係合溝部に着脱可能に取り付けられて、前記突出片部との間に前記アタッチメント付面材を挟持可能に構成されていることを特徴とする。
【発明の効果】
【０００７】
本発明の建具によれば、予め枠組みした保持枠に、アタッチメント付面材を容易に組む込むことができる。
【図面の簡単な説明】
【０００８】
【図１】本発明の実施形態に係る引違い窓を示す縦断面図。
【図２】前記実施形態に係る引違い窓を示す横断面図。
【図３】前記実施形態に係る要部を示す拡大図。
【図４】前記実施形態に係る外障子のリフォーム工程を示す図。
【発明を実施するための形態】
【０００９】
以下、本発明の実施形態を図面に基づいて説明する。
本実施形態に係る引違い窓１は、図１、２に示すように、建物躯体の開口部に設置されるものであり、窓枠２と、窓枠２内に左右方向にスライド移動可能に配置された外障子３、内障子４とを備えている。
【００１０】
窓枠２は、上枠２１、下枠２２および左右の縦枠２３，２４を四周枠組みして構成され、下枠２２には外障子３、内障子４をガイドするアルミ製のレール部材２５が取り付けられている。上枠２１、下枠２２、左右の縦枠２３，２４は、硬質ＰＶＣ（ポリ塩化ビニル）等の樹脂製の押出形材によって形成された樹脂枠材である。
【００１１】
外障子３は、保持枠３１と、保持枠３１内に配置されるアタッチメント付面材５０と、保持枠３１に取り付けられる押縁６０とを備える。
保持枠３１は、上框３２、下框３３、戸先側の縦框３４、召合せ側の縦框３５の各框材を枠組みして構成される。
上框３２は、図３にも示すように、框本体３２１と、框本体３２１の見込面部（下面部）３２１Ａの室内側端部から下方（上框３２の見付方向内周側）に突出した突出片部３２２と、見込面部３２１Ａの室外側端部に形成された係合溝部３２３とを備える。
下框３３は、図１に示すように、框本体３３１と、框本体３３１の見込面部（上面部）３３１Ａの室内側端部から上方に突出した突出片部３３２と、見込面部３３１Ａの室外側端部に形成された係合溝部３３３とを備える。
縦框３４は、下框３３と同一断面の形材であり、図２に示すように、框本体３４１と、框本体３４１の見込面部（側面部）３４１Ａの室内側端部から縦框３５側に突出した突出片部３４２と、見込面部３４１Ａの室外側端部に形成された係合溝部３４３とを備える。
縦框３５は、框本体３５１と、框本体３５１の見込面部（側面部）３５１Ａの室内側端部から縦框３４側に突出した突出片部３５２と、見込面部３５１Ａの室外側端部に形成された係合溝部３５３とを備える。
【００１２】
アタッチメント付面材５０は、図１に示すように、アタッチメント枠５０Ａと、アタッチメント枠５０Ａ内に組み込まれた面材５６とを備える。アタッチメント枠５０Ａは、同一断面形状の４本のアタッチメント５１を枠組みして構成されている。
アタッチメント５１は、硬質ＰＶＣ（ポリ塩化ビニル）等の樹脂製の押出形材で構成されている。図３にも示すように、アタッチメント５１は、中空状に形成された本体部５２と、本体部５２の室内側端部から突出された保持片部５３と、本体部５２の室外側端部から突出された突起部５４と、本体部５２から上框３２の見込面部３２１Ａに向かって延出された一対の当接部５５とを備える。
本体部５２は、面材５６に当接して支持する支持面部５２１と、当接部５５間を連結する連結片部５２２と、支持面部５２１および連結片部５２２の室外側端部間を連結する第１連結片部５２３と、支持面部５２１および連結片部５２２の室内側端部間を連結する第２連結片部５２４とで構成されている。
支持面部５２１および連結片部５２２の室内側端部は、外障子３の見込み方向の位置がほぼ揃っており、第２連結片部５２４は見付方向に沿って形成されている。一方、支持面部５２１の室外側端部は、連結片部５２２の室外側端部よりも室外側に位置している。このため、第１連結片部５２３は、連結片部５２２から支持面部５２１に向かって外側に傾斜する傾斜面を有している。したがって、アタッチメント５１は、上框３２に当接する側つまりアタッチメント５１の外周側の見込寸法に比べて、面材５６に当接する側つまりアタッチメント５１の内周側の見込寸法が大きくされている。すなわち、アタッチメント５１は、外周側に比べて内周側が室外側に張り出して形成されている。
保持片部５３も中空形状とされており、支持面部５２１に連続して形成され、さらに９０度折曲されて見付方向に延長された保持面部５３１と、保持面部５３１の先端部から室内側に延出された連結片部５３２と、第１連結片部５２３から室内側に延出された延出部５３３と、連結片部５３２および延出部５３３の室内側端部間に設けられた室内面部５３４とを備えている。
突出片部３２２に対向する室内面部５３４の端部には、軟質ＰＶＣ等で構成される軟質ヒレ５３５が二色成形などで一体に形成されている。軟質ヒレ５３５は、突出片部３２２と、保持片部５３との間に隙間が生じた場合に、その隙間を塞ぐことができるように構成されている。
【００１３】
突起部５４は、保持片部５３に比べて突出寸法が小さくされている。アタッチメント５１では、保持片部５３および突起部５４間に面材５６が嵌合され、面材５６は、保持片部５３および突起部５４により、アタッチメント５１に対して見込み方向に移動不能に取り付けられる。
なお、上框３２、下框３３、縦框３４で保持される各アタッチメント５１は、同一構造であるため、説明を省略する。なお、下框３３に設けられるアタッチメント５１は、排水用の水抜き穴を形成してもよい。すなわち、アタッチメント５１の支持面部５２１および連結片部５２２に水抜き穴を形成し、支持面部５２１に流れ込んだ雨水を下框３３側に排水する排水経路とすればよい。
【００１４】
面材５６は、３枚のガラス５６１と、各ガラス５６１間に配置されたスペーサ５６２とで構成されている。したがって、本実施形態の面材５６は、トリプルガラスである。ただし、面材５６としては、２枚のガラスを備えた複層ガラスでもよい。また、各ガラス５６１の種類は、求められる性能等に応じて適宜選択すればよい。なお、アタッチメント５１は、保持片部５３および突起部５４間の寸法を面材５６の見込寸法に合わせて設計するため、面材５６のガラスの枚数や種類によって面材５６の見込寸法が異なる場合は、その見込寸法に合わせたアタッチメント５１を用意すればよい。
【００１５】
このような構成のアタッチメント付面材５０は、次のような手順によって工場などで予め組み立てられる。すなわち、ガラス５６１およびスペーサ５６２で面材５６であるトリプルガラスを構成し、さらに面材５６の上下左右の四辺にアタッチメント５１の保持片部５３および突起部５４間を嵌め込んで、アタッチメント５１を面材５６に装着する。そして、アタッチメント５１同士を溶着やネジ固定によって枠組みし、アタッチメント付面材５０を組み立てる。
【００１６】
押縁６０は、樹脂製の押出形材で構成され、アタッチメント５１の室外側の張り出しに対応した形状とされている。具体的には、図３に示すように、押縁６０は、アタッチメント５１および面材５６の室外側に配置されるカバー部６１と、係合溝部３２３に係合される係合片部６２と、面材５６の室外面に当接するシール部６３とを備えて構成されている。
カバー部６１および係合片部６２は、硬質ＰＶＣ（ポリ塩化ビニル）等で構成され、シール部６３は軟質ＰＶＣ等で構成されている。カバー部６１は、アタッチメント５１の室外側に配置されるため、係合片部６２から室外側に張り出して形成されている。また、カバー部６１の見付方向の内周側端部（図３の上框３２に取り付けられる押縁６０では下端部）は、アタッチメント５１の突起部５４よりも面材５６側（図３では下方）に延長されており、シール部６３は面材５６に直接当接されている。
なお、上框３２以外の各框材に取り付けられる押縁６０も同一構造を有する。
【００１７】
内障子４の構成は、図１〜３に示すように、外障子３と同様の構成であり、保持枠４１と、アタッチメント付面材７０と、押縁８０とを備える。内障子４を構成する各部品において、外障子３の部品と同じ構成には同一符号を付して説明を省略する。内障子４において、外障子３と異なる構成について、以下に説明する。
内障子４の保持枠４１は、保持枠３１と同じ上框３２、下框３３、縦框３４と、召合せ側の縦框３６とを備える。縦框３６は、縦框３５と形状が異なるが、同様の構成を備える。すなわち、框本体３６１と、框本体３６１の見込面部（側面部）３６１Ａの室内側端部から縦框３４側に突出した突出片部３６２と、見込面部３６１Ａの室外側端部に形成された係合溝部３６３とを備える。
【００１８】
内障子４のアタッチメント付面材７０は、図３に示すように、４本のアタッチメント７１で構成されるアタッチメント枠７０Ａと、面材５６とで構成される。アタッチメント７１は、同一断面形状の合成樹脂製の押出形材で構成され、アタッチメント５１とは断面形状が異なり、特に室内側に張り出して面材５６を保持できる形状とされている。
アタッチメント７１は、図３にも示すように、中空状に形成された本体部７２と、本体部７２の室内側端部から突出された保持片部７３と、本体部７２の室外側端部から突出された突起部７４と、本体部７２から上框３２の見込面部３２１Ａに向かって延出された一対の当接部７５とを備える。
本体部７２は、面材５６に当接して支持する支持面部７２１と、当接部７５間を連結する連結片部７２２と、支持面部７２１および連結片部７２２の室外側端部間を連結する第１連結片部７２３と、支持面部７２１および連結片部７２２の室内側端部間を連結する第２連結片部７２４とで構成されている。
支持面部７２１の室外側端部は連結片部７２２の室外側端部よりも室外側に配置されており、第１連結片部７２３は、各室外側端部の位置が異なるため、傾斜面を備えている。
保持片部７３は、中空形状とされ、支持面部７２１に連続して形成され、さらに９０度折曲されて見付方向に延長された保持面部７３１と、保持面部７３１の先端部から室内側に延出された連結片部７３２と、第１連結片部７２３から室内側に延出された延出部７３３と、連結片部７３２および延出部７３３の室内側端部間に設けられた室内面部７３４とを備えている。
支持面部７２１の室内側端部は連結片部７２２の室内側端部よりも室内側に配置されており、第１連結片部７２３は、連結片部７２２から見付方向に沿って支持面部７２１近くまで延出され、さらに室内側に延出されている。また、保持片部７３は、本体部７２からさらに室内側に延出されて形成されている。したがって、アタッチメント７１は、アタッチメント７１の外周側の見込寸法に比べて、内周側の見込寸法が大きくされ、外周側に比べて内周側が室内側に張り出して形成されている。
突出片部３２２に対向する保持片部７３の延出部７３３には、軟質ヒレ７３５が一体に形成され、突出片部３２２と、保持片部７３との間に隙間が生じた場合に、その隙間を軟質ヒレ７３５で塞ぐことができるように構成されている。
【００１９】
突起部７４は、保持片部７３に比べて突出寸法が小さくされている。アタッチメント７１では、保持片部７３および突起部７４間に面材５６が嵌合され、面材５６は、保持片部７３および突起部７４により、アタッチメント７１に対して見込み方向に移動不能に取り付けられる。
保持枠４１の下框３３、縦框３４、縦框３６に保持される各アタッチメント７１も同じ構造である。また、下框３３に保持されるアタッチメント７１には、アタッチメント５１と同様に水抜き穴が形成されて排水経路が設けられている。
【００２０】
このような構成のアタッチメント付面材７０は、アタッチメント付面材５０と同じく、面材５６であるトリプルガラスを構成し、さらに面材５６の上下左右の四辺にアタッチメント７１の保持片部７３および突起部７４間を嵌め込んで、アタッチメント７１を面材５６に装着する。そして、アタッチメント７１同士を溶着やネジ固定によって枠組みし、アタッチメント付面材７０を組み立てる。
【００２１】
押縁８０は、押縁６０と同様に、樹脂製の押出形材で構成され、アタッチメント７１および面材５６の室外側に配置されるカバー部８１と、係合溝部３２３に係合される係合片部８２と、面材５６の室外面に当接するシール部８３とを備えて構成されている。
カバー部８１は、アタッチメント７１の室外側に配置されるが、アタッチメント７１は室内側に張り出しており、室外側には殆ど張り出していないため、カバー部８１の室外面は、保持枠４１の各框材の室外面に沿って配置されている。また、カバー部８１は、アタッチメント７１の突起部７４よりも面材５６側に延長されており、シール部８３は面材５６に直接当接されている。
なお、上框３２以外の各框材に取り付けられる押縁８０も同一構造を有する。
【００２２】
このような外障子３、内障子４において、既設の障子に設けられた複層ガラスをアタッチメント付面材にリフォームする手順を、図４に示す。なお、図４は、外障子３のリフォーム手順を示す図である。
図４（Ａ）に示すように、既設の外障子３は、保持枠３１および押縁９１を用いて複層ガラス９２を保持している。次に、図４（Ｂ）に示すように、押縁９１を係合溝部３２３、３３３から取り外し、複層ガラス９２を保持枠３１から取り外す。
次に、図４（Ｃ）に示すように、予め組み立てられたアタッチメント付面材５０を、保持枠３１内に配置する。さらに、図４（Ｄ）に示すように、押縁６０を係合溝部３２３、３３３に係合し、押縁６０および保持枠３１の突出片部３２２、３３２でアタッチメント付面材５０を挟持する。
【００２３】
また、外障子３、内障子４を新設する場合も同様の手順で組み立てられる。すなわち、アタッチメント付面材５０、７０を前述した手順で予め組み立てる。また、上框３２、下框３３、縦框３４、縦框３５、３６を溶着やネジ留めで枠組みして保持枠３１、保持枠４１を組み立てる。そして、保持枠３１、４１内にアタッチメント付面材５０、７０を組み込み、押縁６０、８０を保持枠３１、４１に係合してアタッチメント付面材５０、７０を押縁６０、８０および保持枠３１、４１で挟持することで外障子３、内障子４を組み立てることができる。
【００２４】
本実施形態によれば、アタッチメント付面材５０、７０を、保持枠３１、４１と、押縁６０、８０とで挟持できるため、押縁６０、８０を保持枠３１、４１から取り外すことで、アタッチメント付面材５０、７０を、保持枠３１、４１の正面側（室外側）から取り付けることができる。したがって、予め枠組みした保持枠３１、４１にアタッチメント付面材５０、７０を容易に取り付けることができる。このため、既設の保持枠３１、４１にリフォームでアタッチメント付面材５０、７０を組み込む場合も簡単な作業で施工することができる。
また、アタッチメント５１、７１は、外周側の見込寸法（当接部５５、７５間の寸法）を保持枠３１、４１の見込寸法に応じて設計し、内周側の見込寸法つまり保持片部５３、７３および突起部５４、７４間の寸法を面材５６の見込寸法に応じて設計することができる。さらに、押縁６０、８０は、アタッチメント５１、７１の形状などに合わせて設計することができる。したがって、面材５６の見込寸法に応じたアタッチメント５１、７１および押縁６０、８０を用意することで、複層ガラスやトリプルガラス等の各種面材を保持でき、かつ、框材で構成される保持枠３１、４１は共通化できる。したがって、例えば、トリプルガラス専用の保持枠を製造する必要が無く、コストを低減できる。また、保持枠３１，４１を共通化できるので、窓枠２も共通化でき、部品種類を少なくできてコストも低減できる。
さらに、外障子３のアタッチメント付面材５０は室外側に張り出し、内障子４のアタッチメント付面材７０は室内側に張り出しているので、引違い窓１において外障子３および内障子４をスライド移動させる場合に、各障子３，４同士が干渉することもなく、スムーズに移動できる。
【００２５】
外障子３、内障子４は、保持枠３１、４１、アタッチメント５１、７１、押縁６０、８０をそれぞれ樹脂製としているので、障子３，４の断熱性能を向上できる。さらに、面材５６をトリプルガラスで構成しているので、障子３，４の断熱性能をさらに向上できる。
突起部５４、７４の突出寸法を短くしたので、押縁６０、８０で突起部５４、７４を覆うことができる。このため、アタッチメント５１、７１を、押縁６０、８０で被覆することができ、外障子３、内障子４の外観意匠を向上できる。
また、図３に示すように、温度変化等によって樹脂部材が縮み、保持枠３１、４１およびアタッチメント枠５０Ａ、７０Ａ間に隙間が生じた場合、軟質ヒレ５３５、７３５が隙間を隠すため、外障子３、内障子４の室内側に隙間が生じて、内観意匠が低下することを防止できる。
【００２６】
［変形例］
本発明は、以上の実施形態で説明した構成のものに限定されず、本発明の目的を達成できる範囲での変形例は、本発明に含まれる。
例えば、前記実施形態では、アタッチメント５１、７１は、面材５６を保持する突起部５４、７４を備えているが、面材５６を支持面部５２１、７２１に接着剤などで接着する場合は、突起部５４、７４を備えないアタッチメントを用いてもよい。
前記実施形態では、押縁６０、８０を面材５６の室外側に配置していたが、押縁６０、８０を面材５６の室内側に配置する構成を採用してもよい。
前記実施形態では、框材、アタッチメント５１、７１、押縁６０、８０を樹脂製としていたが、アルミ製などの金属材で構成してもよい。ただし、アタッチメント付面材５０、７０は、断熱性能を向上するために、複層ガラスやトリプルガラスの面材５６を用いることが多いため、框材、アタッチメント５１、７１、押縁６０、８０を樹脂製とすることで、障子３、４の断熱性能を向上することが好ましい。
【００２７】
また、本発明の建具は、前記実施形態の引違い窓１の外障子３、内障子４に限定されず、片引き窓や上げ下げ窓などのスライディング形式の窓の障子や、開き窓のようにスイング形式の窓の障子、さらにはＦＩＸ窓など、面材が組み込まれる各種の建具に適用可能である。
【００２８】
［発明のまとめ］
本発明の建具は、上下および左右の框材を枠組みして構成される保持枠と、前記保持枠内に配置されるアタッチメント付面材と、前記保持枠に取り付けられる押縁とを備え、前記各框材は、框本体と、前記框本体の見込面部から突出された突出片部と、前記見込面部に形成された係合溝部とを有し、前記アタッチメント付面材は、アタッチメントを枠組みして構成されたアタッチメント枠と、前記アタッチメント枠内に組み込まれた面材とを有し、前記押縁は、前記係合溝部に着脱可能に取り付けられて、前記突出片部との間に前記アタッチメント付面材を挟持可能に構成されていることを特徴とする。
本発明によれば、アタッチメント付面材を、保持枠の突出片部と、保持枠に取り付けられる押縁とで挟持できるため、押縁を保持枠から取り外すことで、アタッチメント付面材を、保持枠の正面側から取り付けることができる。したがって、予め枠組みした保持枠にアタッチメント付面材を容易に取り付けることができる。
また、面材の見込寸法、すなわち複層ガラスやトリプルガラス等の面材の種類に応じて、アタッチメント枠および押縁を用意すれば、保持枠は共通化できる。したがって、例えば、複層ガラス用とトリプルガラス用とで専用の保持枠を製造する必要が無い。さらに、保持枠を共通化できるので、例えば、保持枠、アタッチメント付面材、押縁で障子を構成し、この障子が取り付けられる窓枠を設けて引違い窓や開き窓等の各種窓を製造する場合、障子の保持枠を共通化できるため、窓枠も共通化できる。このため、面材の見込寸法が異なる場合でも、障子の保持枠や窓枠は共通化でき、部品種類を少なくできてコストも低減できる。
【００２９】
本発明の建具において、前記框材、前記アタッチメント、前記押縁は、それぞれ樹脂製の押出形材で構成され、前記面材は、２枚以上のガラスを備えて構成されることが好ましい。
本発明では、保持枠を構成する框材と、アタッチメント枠を構成するアタッチメントと、押縁とを、樹脂製の押出形材で構成しているので断熱性能を向上できる。さらに、面材を２枚以上のガラス、つまり複層ガラスやトリプルガラスで構成しているので、面材部分の断熱性能を向上できる。したがって、断熱性能に優れた建具を提供することができる。
【００３０】
本発明の建具において、前記アタッチメントは、本体部と、前記本体部から前記アタッチメントの見付方向内周側に突出された保持片部と、前記本体部から前記見付方向内周側に突設された突起部とを備え、前記保持片部の突出寸法は前記突起部の突出寸法よりも大きくされ、前記面材は、前記保持片部および前記突起部間に保持され、前記押縁は、前記係合溝部に取り付けられる係合片部と、前記係合片部から前記框材の見付方向内周側に延長されたカバー部とを備え、前記保持片部の前記見付方向内周側の端縁の位置に対応して、前記カバー部の前記見付方向内周側の端縁の位置が設定されていることが好ましい。
本発明では、突起部は押縁のカバー部で被覆されるため、突起部が外観に露出しない。このため、押縁が配置された側（例えば室外側）では、框材、押縁、面材のみが露出し、アタッチメントが露出しないため、外観意匠を向上できる。また、押縁のカバー部と、保持片部との見付方向内周側の端縁を揃えることができるので、面材が露出する開口寸法を最大限に確保できる。
【００３１】
本発明の建具において、前記各框材は、框本体と、前記框本体の見込面部の室内側端部から突出された突出片部と、前記框本体の見込面部の室外側端部に形成された係合溝部とを有し、前記アタッチメントは、本体部と、前記本体部の室内側端部から突出された保持片部と、前記本体部の室外側端部から突設された突起部とを備え、前記保持片部の室内面は、前記突出片部の室内面に沿って配置され、前記面材は、前記保持片部および前記突起部間に保持され、前記押縁は、前記係合溝部に取り付けられる係合片部と、前記係合片部から前記框材の見付方向内周側に延長されたカバー部とを備えることを特徴としてもよい。
本発明では、框材の突出片部およびアタッチメントの保持片部を、框材およびアタッチメントの室内側に配置し、それらの室内面を揃えており、アタッチメントが框材から室内側に突出しないため、この建具を外障子として用いれば、内障子などに干渉することを防止できる。
また、押縁はアタッチメント付面材の室外側に配置されるため、面材の見込寸法に応じて、アタッチメントの室外側が、框材よりも室外側に張り出した場合に、そのアタッチメントの形状に応じてカバー部の位置が設計された押縁を用いることで、確実にアタッチメント付面材を挟持できる。
【００３２】
本発明の建具において、前記各框材は、框本体と、前記框本体の見込面の室内側端部から突出された突出片部と、前記框本体の見込面部の室外側端部に形成された係合溝部とを有し、前記アタッチメントは、本体部と、前記本体部の室内側端部から突出された保持片部と、前記本体部の室外側端部から突設された突起部とを備え、前記面材は、前記保持片部および前記突起部間に保持され、前記押縁は、前記係合溝部に取り付けられる係合片部と、前記係合片部から前記框材の見付方向内周側に延長されたカバー部とを備え、前記カバー部の室外面は、前記框材の室外面に沿って配置されていることを特徴としてもよい。
本発明では、框材の室外面と、押縁のカバー部の室外面を揃えており、押縁が框材から室外側に突出しないため、この建具を内障子として用いれば、外障子などに干渉することを防止できる。
また、面材の見込寸法に応じて、アタッチメントの室内側つまり保持片部を、框材よりも室内側に張り出して形成することで、確実にアタッチメント付面材を挟持できる。さらに、面材の見込寸法に応じてアタッチメントを形成することで、押縁は各内障子で共通化できるので、部品種類を少なくできてコストも低減できる。
【００３３】
本発明の建具において、前記アタッチメントの室内側端部には、前記框材との隙間を塞ぐ軟質ヒレが設けられていることが好ましい。
軟質ヒレが設けられていれば、アタッチメントと框材との間に隙間が生じても、その隙間の室内側開口部分を軟質ヒレで隠すことができ、意匠性を向上できる。
【符号の説明】
【００３４】
１…引違い窓、２…窓枠、３…外障子、３１…保持枠、３２…上框、３２１…框本体、３２１Ａ…見込面部、３２２…突出片部、３２３…係合溝部、３３…下框、３３１…框本体、３３１Ａ…見込面部、３３２…突出片部、３３３…係合溝部、３４…縦框、３４１…框本体、３４１Ａ…見込面部、３４２…突出片部、３４３…係合溝部、３５…縦框、３５１…框本体、３５１Ａ…見込面部、３５２…突出片部、３５３…係合溝部、３６…縦框、３６１…框本体、３６１Ａ…見込面部、３６２…突出片部、３６３…係合溝部、４…内障子、４１…保持枠、５０…アタッチメント付面材、５０Ａ…アタッチメント枠、５１…アタッチメント、５２…本体部、５３…保持片部、５３５…軟質ヒレ、５４…突起部、５６…面材、５６１…ガラス、５６２…スペーサ、６０…押縁、６１…カバー部、６２…係合片部、６３…シール部、７０…アタッチメント付面材、７０Ａ…アタッチメント枠、７１…アタッチメント、７２…本体部、７３…保持片部、７３５…軟質ヒレ、７４…突起部、８０…押縁、８１…カバー部、８２…係合片部、８３…シール部。
【図１】
2020016118.tif 000003
【図２】
2020016118.tif 000004
【図３】
2020016118.tif 000005
【図４】
2020016118.tif 000006